(57)【要約】【課題】吐水管の回転規制のための構成部材を外部に露出させず、美観を良好とする水栓装置を提供する。【解決手段】吐水管１４と、カウンターから起立する水栓本体１６とを有する水栓装置において、吐水管１４の基端部４０にストッパ軸５８を回転ストッパとして吐水管１４内部で下向きに突出する状態に設ける一方、水栓本体１６には固定ストッパとしてのストッパボルト９４を台座部６８から上方に突出する状態に取り付け、ストッパボルト９４をストッパ軸５８に当接させることにより吐水管１４を回転規制する。【選択図】        図３
2008248539.tif 000002
【特許請求の範囲】
【請求項１】
先端部に吐水口を有する吐水管と、カウンター等取付基体から起立する状態に設けられ、該吐水管の基端部に回転可能に嵌合して該吐水管を回転可能に支持する、下端に該取付基体への取付用の開口の形成された支持部と、を有する水栓装置において
前記吐水管の基端部に、該基端部とともに回転する吐水管側の回転ストッパを内側に突出する状態で設ける一方、前記支持部には、該回転ストッパの下方に且つ前記取付用の開口の上方空間の上側にストッパ取付部を設けて、該ストッパ取付部に、該支持部側の固定ストッパを上下向きに且つ上部が該ストッパ取付部から上方に突出する状態に取り付けて、該固定ストッパを前記回転ストッパに対し回転方向の所定位置で当接させることにより、前記吐水管を回転規制するようになしたことを特徴とする水栓装置。
【請求項２】
請求項１において、前記ストッパ取付部に、該ストッパ取付部を上下に貫通する挿通孔を設けて、前記固定ストッパを、前記空間から該挿通孔に上向きに挿通し、上部を前記ストッパ取付部から上方に突出させるようになしてあることを特徴とする水栓装置。
【請求項３】
請求項２において、前記固定ストッパが外周面に雄ねじを有するストッパボルトとなしてあるとともに、前記挿通孔には内周面に雌ねじを設け、該雄ねじと雌ねじとの螺合により該ストッパボルトを前記ストッパ取付部に取り付けるようになしてあることを特徴とする水栓装置。
【請求項４】
請求項１〜３の何れかにおいて、前記支持部には、前記固定ストッパとは別途に主ストッパが固定状態に設けてあり、該固定ストッパが前記吐水管の回転範囲の調節用として、該支持部側の第２の固定ストッパとして設けてあって、該固定ストッパが、前記回転ストッパが前記主ストッパに当接するまでの回転軌跡上の途中位置に配置してあり、該固定ストッパが、該回転ストッパに当接してストッパ作用をなすストッパ作用状態と、該回転ストッパに当接しないストッパ非作用状態とに状態切換可能となしてあることを特徴とする水栓装置。
【請求項５】
請求項４において、前記固定ストッパが、上への位置移動によって上方への突出量を多くし、下への位置移動によって突出量を少なくするように上下に位置移動可能となしてあり、上への移動位置を前記回転ストッパに当接するストッパ作用状態、下への移動位置を該回転ストッパに当接しない非作用状態として、それらの間で状態切換可能となしてあることを特徴とする水栓装置。
【請求項６】
請求項５において、前記固定ストッパとストッパ取付部との間にスペーサを介装することによって、該固定ストッパを前記下への移動位置に位置決めし、該スペーサを外すことによって該固定ストッパを前記上への移動位置に位置決めするようになしてあることを特徴とする水栓装置。
【請求項７】
先端部に吐水口を有する吐水管と、カウンター等取付基体から起立する状態に設けられ、該吐水管の基端部に嵌合して該吐水管を支持する、下端に該取付基体への取付用の開口の形成された支持部と、を有する水栓装置において
前記基端部に筒状の内嵌合部を、前記支持部の対応する部分に筒状の外嵌合部を設けて、それら内嵌合部と外嵌合部とを互いに上下に嵌合するようになすとともに、該支持部には該内嵌合部の径方向内側で上向きに起立する弾性片を設けて、該弾性片の径方向外面と該内嵌合部の内面との一方に爪部を、他方に該爪部に係合する係合凹部を設けて、それら爪部と係合凹部とを上下の抜止方向に係合させるようになし、
該支持部には、更に、前記弾性片の径方向内側部位に、該弾性片を該内側から径方向外方に支持して該弾性片の径方向内方への倒れ変形を防止するサポート部材を上向きに突出する状態に設けてあることを特徴とする水栓装置。
【請求項８】
請求項７において、前記サポート部材が軸形状をなすサポート軸にて構成してあるとともに、前記支持部には、前記取付用の開口の上方空間の上側に前記弾性片の取付部が設けてあって、該取付部に、該サポート軸を挿通する上下に貫通の挿通孔が設けてあり、該サポート軸を前記空間から該挿通孔に上向きに挿通して上部を該取付部から上方に突出させ、その該突出部分にて前記弾性片を径方向外方に支持するようになしてあることを特徴とする水栓装置。
【請求項９】
請求項８において、前記サポート軸が、前記吐水管の基端部に設けられて該基端部とともに回転する、内側に突出した形状の吐水管側の回転ストッパに対して当接し、該吐水管の回転範囲を規制する支持部材側の固定ストッパを兼ねて構成してあることを特徴とする水栓装置。
【発明の詳細な説明】
【技術分野】
【０００１】
この発明は水栓装置に関し、詳しくは先端部に吐水口を有する吐水管と、カウンター等取付基体から起立する状態に設けられて、吐水管を支持する支持部とを備えた水栓装置に関する。
【背景技術】
【０００２】
従来より、先端部に吐水口を有する吐水管と、カウンター等取付基体から起立する状態に設けられ、吐水管の基端部に回転可能に嵌合して吐水管を回転可能に支持する、下端に取付基体への取付用の開口の形成された支持部と、を有する水栓装置が所謂デッキタイプの水栓装置として広く使用されている。
【０００３】
図１１はその具体例を示している。
同図において２００は取付基体としてのカウンターで、２０２はカウンター２００に設けられた取付穴である。
２０４は先端に吐水口２０６を有する吐水管で、２０８はカウンター２００から起立する状態に設けられ、吐水管２０４を支持する支持部としての水栓本体である。
【０００４】
吐水管２０４には、基端部２１０に円筒状の内嵌合部２１２が、また水栓本体２０８には上端部２１４に筒状の外嵌合部２１６がそれぞれ設けられ、それら内嵌合部２１２と外嵌合部２１６とが回転可能に嵌合されている。
水栓本体２０８は、下端が取付用の開口２１８とされており、その開口２１８において取付装置２２０によりカウンター２００に取り付けられるようになっている。
この水栓本体２０８はまた、その内部に取付用の開口２１８の上方空間２２２を有している。
【０００５】
図１２に示しているように、吐水管２０４の基端部２１０には周方向に沿って基端部２１０を貫通する円弧形状の切欠き２２４が設けられている。
一方、水栓本体２０８の上端部２１４にはビス２２６用の径方向に貫通の雌ねじ孔２２８が設けられており、その雌ねじ孔２２８にビス２２６がねじ込まれている。
ビス２２６は先端部を内方に突出させており、その先端部が上記の切欠き２２４内に入り込んでいる。
【０００６】
吐水管２０４は、切欠き２２４内に先端部が入り込んだビス２２６によって水栓本体２０８から抜け止めされている。
また吐水管２０４は、水栓本体２０８に対する回転時において、切欠き２２４の両端縁のストッパ面２３０がビス２２６に当接することによって回転規制される。
即ち吐水管２０４は、切欠き２２４を設けた範囲内で水栓本体２０８に対して回転可能とされている。
【０００７】
しかしながらこの水栓装置の場合、吐水管２０４の回転範囲が一定であり、水栓装置の設置現場の状況に応じて、その回転範囲を変えることができないといった問題がある。
例えば水栓装置を流し台に取り付けるに際して、その取付位置がシンクの中央位置である場合と、右側に偏った位置である場合、或いは左側に偏った位置である場合とで吐水管２０４の適正な回転範囲が異なってくるが、図１１に示す水栓装置では、そうした水栓装置の設置現場の状況に応じて吐水管２０４の回転範囲を適正な回転範囲に規制することができない。
【０００８】
この場合吐水管２０４がシンクから外れた位置まで回転してしまうことがあり、そうした回転位置で吐水口２０６から吐水が行われると、その吐水がシンク外に吐出されてしまうといった不具合を生ずる。
またこの図１１に示す水栓装置の場合、吐水管２０４の抜止めのためのビス２０６が外部に露出した状態となって外観を悪化させてしまう。更にビス２２６頭部の工具係合用の係合溝に汚れが付着し易く、このこともまた外観を悪化させる要因となる。
【０００９】
下記特許文献１，特許文献２，特許文献３には、吐水管の回転範囲規制のためのビスが外部に露出して外観を悪化させる問題の解決を目的とした水栓装置が開示されている。
しかしながらこれら特許文献に開示のものは本発明とは解決手段の異なった別異のものであり、また特許文献１，特許文献３に開示のものでは、吐水管の回転範囲を水栓装置の設置現場の状況に応じて調節することのできないものである。
【００１０】
一方特許文献２に開示のものは、吐水管の回転範囲を調節可能となしているが、この特許文献２に開示のものでは、吐水管の回転範囲を変更し、調節するためには水栓装置を各部材に一旦分解しなければならず（バラさなければならず）、現場の状況に応じて且つ現場において吐水管の回転範囲を調節することのできないものである。
【００１１】
一方、特許文献４には吐水管の回転範囲を調節可能となし、且つ回転規制用のビスが外部に露出しない構造の水栓装置が開示されているが、この特許文献４に開示のものもまた吐水管の回転範囲を調節するに際し一旦水栓装置を各部材に分解しなければならず、従ってこの特許文献４に開示のものもまた、現場の状況に応じて且つ現場において吐水管の回転範囲を調節することのできないものである。
【００１２】
他方、吐水管の抜止めのための構成部材を外部に露出させないことを目的とした水栓装置が下記特許文献５，特許文献６に開示されている。
しかしながらこれら特許文献５，６に開示のものも本願発明とは解決手段の異なったものである。
【００１３】
【特許文献１】特開平１１−５０４９８号公報
【特許文献２】特開平１０−８８６３３号公報
【特許文献３】実開平７−２９３６９号公報
【特許文献４】特開平９−１３４５０号公報
【特許文献５】特開平５−２１４７４９号公報
【特許文献６】特開２００４−１６９４８１号公報
【発明の開示】
【発明が解決しようとする課題】
【００１４】
本発明は以上のような事情を背景とし、吐水管の回転範囲を規制するための構成部材を外部に露出させず、美観を良好とする水栓装置を提供することを目的としてなされたものである。
また本発明の他の目的は、水栓装置の設置現場の状況に応じて且つ設置現場において吐水管の回転範囲を調節可能とすることを目的とする。
更に本発明の他の目的は、吐水管の抜止めのための構成部材を外部に露出させず、水栓装置の美観を良好とすることを目的とする。
【課題を解決するための手段】
【００１５】
而して請求項１のものは、先端部に吐水口を有する吐水管と、カウンター等取付基体から起立する状態に設けられ、該吐水管の基端部に回転可能に嵌合して該吐水管を回転可能に支持する、下端に該取付基体への取付用の開口の形成された支持部と、を有する水栓装置において、前記吐水管の基端部に、該基端部とともに回転する吐水管側の回転ストッパを内側に突出する状態で設ける一方、前記支持部には、該回転ストッパの下方に且つ前記取付用の開口の上方空間の上側にストッパ取付部を設けて、該ストッパ取付部に、該支持部側の固定ストッパを上下向きに且つ上部が該ストッパ取付部から上方に突出する状態に取り付けて、該固定ストッパを前記回転ストッパに対し回転方向の所定位置で当接させることにより、前記吐水管を回転規制するようになしたことを特徴とする。
【００１６】
請求項２のものは、請求項１において、前記ストッパ取付部に、該ストッパ取付部を上下に貫通する挿通孔を設けて、前記固定ストッパを、前記空間から該挿通孔に上向きに挿通し、上部を前記ストッパ取付部から上方に突出させるようになしてあることを特徴とする。
【００１７】
請求項３のものは、請求項２において、前記固定ストッパが外周面に雄ねじを有するストッパボルトとなしてあるとともに、前記挿通孔には内周面に雌ねじを設け、該雄ねじと雌ねじとの螺合により該ストッパボルトを前記ストッパ取付部に取り付けるようになしてあることを特徴とする。
【００１８】
請求項４のものは、請求項１〜３の何れかにおいて、前記支持部には、前記固定ストッパとは別途に主ストッパが固定状態に設けてあり、該固定ストッパが前記吐水管の回転範囲の調節用として、該支持部側の第２の固定ストッパとして設けてあって、該固定ストッパが、前記回転ストッパが前記主ストッパに当接するまでの回転軌跡上の途中位置に配置してあり、該固定ストッパが、該回転ストッパに当接してストッパ作用をなすストッパ作用状態と、該回転ストッパに当接しないストッパ非作用状態とに状態切換可能となしてあることを特徴とする。
【００１９】
請求項５のものは、請求項４において、前記固定ストッパが、上への位置移動によって上方への突出量を多くし、下への位置移動によって突出量を少なくするように上下に位置移動可能となしてあり、上への移動位置を前記回転ストッパに当接するストッパ作用状態、下への移動位置を該回転ストッパに当接しない非作用状態として、それらの間で状態切換可能となしてあることを特徴とする。
【００２０】
請求項６のものは、請求項５において、前記固定ストッパとストッパ取付部との間にスペーサを介装することによって、該固定ストッパを前記下への移動位置に位置決めし、該スペーサを外すことによって該固定ストッパを前記上への移動位置に位置決めするようになしてあることを特徴とする。
【００２１】
請求項７のものは、先端部に吐水口を有する吐水管と、カウンター等取付基体から起立する状態に設けられ、該吐水管の基端部に嵌合して該吐水管を支持する、下端に該取付基体への取付用の開口の形成された支持部と、を有する水栓装置において、前記基端部に筒状の内嵌合部を、前記支持部の対応する部分に筒状の外嵌合部を設けて、それら内嵌合部と外嵌合部とを互いに上下に嵌合するようになすとともに、該支持部には該内嵌合部の径方向内側で上向きに起立する弾性片を設けて、該弾性片の径方向外面と該内嵌合部の内面との一方に爪部を、他方に該爪部に係合する係合凹部を設けて、それら爪部と係合凹部とを上下の抜止方向に係合させるようになし、該支持部には、更に、前記弾性片の径方向内側部位に、該弾性片を該内側から径方向外方に支持して該弾性片の径方向内方への倒れ変形を防止するサポート部材を上向きに突出する状態に設けてあることを特徴とする。
【００２２】
請求項８のものは、請求項７において、前記サポート部材が軸形状をなすサポート軸にて構成してあるとともに、前記支持部には、前記取付用の開口の上方空間の上側に前記弾性片の取付部が設けてあって、該取付部に、該サポート軸を挿通する上下に貫通の挿通孔が設けてあり、該サポート軸を前記空間から該挿通孔に上向きに挿通して上部を該取付部から上方に突出させ、その該突出部分にて前記弾性片を径方向外方に支持するようになしてあることを特徴とする。
【００２３】
請求項９のものは、請求項８において、前記サポート軸が、前記吐水管の基端部に設けられて該基端部とともに回転する、内側に突出した形状の吐水管側の回転ストッパに対して当接し、該吐水管の回転範囲を規制する支持部材側の固定ストッパを兼ねて構成してあることを特徴とする。
【発明の作用・効果】
【００２４】
以上のように請求項１のものは、吐水管の基端部に、その基端部とともに回転する回転ストッパを内側に突出する状態で設ける一方、支持部には回転ストッパの下方に且つ取付用の開口の上方空間の上側にストッパ取付部を設けて、そのストッパ取付部に支持部側の固定ストッパを上方に突出する状態に取り付け、かかる固定ストッパを回転ストッパに当接させて、吐水管を回転規制するようになしたものである。
【００２５】
本発明によれば、吐水管の回転規制のための構成部材を外部に露出させず、従ってその回転規制のための構成部材が外部に露出することによる水栓装置の美観の悪化を防止して、水栓装置を良好な外観状態で設置することが可能となる。
また回転規制のための構成部材が外部に露出しないので、その構成部材に汚れが付着して外観を悪化させる問題も併せて解決することができる。
【００２６】
この請求項１の水栓装置では、固定ストッパを回転ストッパの回転方向に位置を変えて取り付けることができ、これにより吐水管の回転範囲を、その取付位置の変更に応じて変えることが可能である。
またこの固定ストッパの取付位置の変更は、吐水管と支持部とを分解することなく、支持部の開口及びその上方空間を通じて行うことが可能であり、従ってこの請求項１によれば、水栓装置の設置現場の状況に応じて且つ設置現場において吐水管の回転範囲の調節を行うことが可能である。
【００２７】
この場合において、上記ストッパ取付部に、これを上下に貫通する挿通孔を設けて、固定ストッパを支持部の下端の取付用の開口及びその上方空間から挿通孔に上向きに挿通し、上部をストッパ取付部から上方に突出させるようになしておくことができる（請求項２）。
この場合において、上記のように固定ストッパを回転ストッパの回転方向に位置を変えて取り付けることで吐水管の回転範囲を変更するには、かかる挿通孔をその回転方向の複数個所に用意しておき、何れかを選択して固定ストッパを挿通孔に挿通するようになすことができる。
【００２８】
更にこの場合において、固定ストッパを外周面に雄ねじを有するストッパボルトとなし、また挿通孔には内周面に雌ねじを設けて、雄ねじと雌ねじとの螺合により、ストッパボルトをストッパ取付部に取り付けるようになしておくことができる（請求項３）。
【００２９】
次に請求項４は、上記支持部に、上記固定ストッパとは別途に主ストッパを固定状態に設けて、固定ストッパを吐水管の回転範囲の調節用として支持部側の第２の固定ストッパとして設け、かかる固定ストッパを、回転ストッパが主ストッパに当接するまでの回転軌跡上の途中位置に配置して、固定ストッパを回転ストッパに当接してストッパ作用をなすストッパ作用状態と、回転ストッパに当接しないストッパ非作用状態とに状態切換え可能となしたものである。
【００３０】
この請求項４によれば、単に固定ストッパをストッパ作用状態と非作用状態とに状態切換するだけで、簡単に吐水管の回転範囲を調節することが可能となる。
またこの固定ストッパの状態切換えの操作は、吐水管と支持部とを分解することなく、支持部における下端の開口及びその上方空間を通じて行うことができ、設置現場において簡単にその作業を行うことが可能である。
【００３１】
この場合において、固定ストッパを上への位置移動によって上方への突出量を多くし、下への位置移動によって突出量を少なくするように上下に位置移動可能となし、上への移動位置をストッパ作用状態、下への移動位置を非作用状態として、それらの間で状態切換え可能となしておくことができる（請求項５）。
このようにすれば、固定ストッパをストッパ取付部に取り付けた状態のまま、これを上，下に位置移動させるだけで簡単に吐水管の回転範囲の調節を行うことができる。
【００３２】
またこの場合において固定ストッパとストッパ取付部との間にスペーサを介挿することで、固定ストッパを下への移動位置に位置決めし、またスペーサを外すことによって固定ストッパを上への移動軸に位置決めするようになすことができる（請求項６）。
このようにしておけば、スペーサを脱着するだけで簡単に固定ストッパを上への移動位置と、下への移動位置とに位置決めでき、ストッパ作用状態と非作用状態とに状態切換えすることができる。
【００３３】
次に請求項７は、吐水管の基端部に筒状の内嵌合部を、支持部に筒状の外嵌合部を設けて、それらを上下に嵌合するようになすとともに、支持部には内嵌合部の径方向内側で上向きに起立する弾性片を設けて、その弾性片の径方向外面と内嵌合部の内面との一方に爪部を、他方に係合凹部を設けて、それらを上下の抜止め方向に係合させるようになし、更に支持部には弾性片の径方向内側部位で弾性片の径方向内方への倒れ変形を防止するサポート部材を上向きに突出する状態に設けたものである。
【００３４】
この請求項７の水栓装置では、吐水管の基端部の内嵌合部を、支持部の外嵌合部に上下に嵌合して、支持部の弾性片と内嵌合部とに設けた爪部と係合凹部とを係合させ、更に弾性片の倒れ変形を防止するサポート部材を設けておくだけで、簡単な構造で吐水管の抜止め構造を構築することができる。
【００３５】
またこの請求項７においては、吐水管の抜止めのための構成材を、吐水管及び支持部の内部に隠蔽状態に設けておくことができ、従ってこの請求項７によれば、抜止めのための構成部材が外部に露出することによる外観の悪化を生じず、水栓装置を良好な外観状態で設置することが可能となる。
【００３６】
請求項８は、サポート部材をサポート軸にて構成するとともに、支持部には取付用の開口の上方空間の上側に弾性片の取付部を設けて、その取付部に挿通孔を設け、サポート軸を上記空間から挿通孔に上向きに挿通して上部を取付部から上方に突出させ、その突出部分にて弾性片を径方向外方に支持するようになしたもので、この請求項８によれば、支持部の下端の開口及びその上方空間を通じてサポート軸を挿通孔に抜き差しすることができる。
【００３７】
従ってこの請求項８によれば、サポート軸を抜き出した状態の下で、吐水管の基端部の内嵌合部と支持部の外嵌合部とを、支持部側の弾性片の径方向内方への弾性変形、即ち倒れ変形を伴って上下方向に嵌め合せるとともに、弾性片と内嵌合部とに設けた爪部と係合凹部とを抜止め方向に係合状態とすることができる。
【００３８】
但しこの状態では、吐水管に対し上向きに引抜力が働くと、弾性爪が内向きに倒れ変形することによって、爪部と係合凹部との係合が外れてしまい、吐水管が支持部から上方に抜けてしまう。
ここにおいてサポート軸を挿通孔に挿通して、上部を弾性片の径方向内方に位置させ、かかるサポート軸の上部にて弾性片の径方向内方への倒れ変形を防止することで、吐水管を支持部に対し抜止状態に強固に連結することができる。
【００３９】
而してこのサポート軸は、支持部の下端の開口及びその上方空間を通じて挿通孔に挿通し、取付部に取り付け可能であるため、吐水管と支持部との連結を簡単に行うことができる。
またメンテナンス等のために吐水管と支持部とを分離する必要が生じた場合には、サポート軸を挿通孔から下向きに抜き出すことで、簡単に吐水管を支持部から引き抜き、それらを分離することが可能である。
【００４０】
この場合においてかかるサポート軸は、請求項９に従って吐水管の回転規制のための支持部側の固定ストッパを兼ねて構成しておくことができる。
このようにすれば、吐水管の抜止め及び回転規制のための構成部材の部材点数を少なくし得、且つ抜止め及び回転規制のための構造を簡素化することができる利点が得られる。
【発明を実施するための最良の形態】
【００４１】
次に本発明の実施形態を図面に基づいて詳しく説明する。
図１において、１０は流し台のカウンター（取付基体）１２から起立する状態に設けられた水栓装置で、吐水管１４と、その支持部をなす水栓本体１６とを有している。
流し台にはシンク１８が備えられており、また図２に示しているようにカウンター１２には、水栓装置１０を取り付けるための取付穴２０が設けられている。
吐水管１４は、図１に示しているように概略逆Ｕ字状の曲り形状をなすグースネック状のもので、先端に吐水口２２を有し、またその上面に吐，止水のための操作部２４，２６が設けられている。
【００４２】
図２に示しているように、水栓本体１６の下端部は円筒部２７とされ、この円筒部２７の下端が水栓装置１０、詳しくは水栓本体１６をカウンター１２に取り付けるための取付用の開口２８とされている。
水栓本体１６はこの開口２８において、図２に示す取付装置３０によりカウンター１２に取付固定されている。
尚、３１は円筒部２７の内側の、開口２８の上方空間を表している。
【００４３】
水栓本体１６には、上下方向の中間部に湯水の混合部３２が設けられており、この混合部３２に温調ハンドル（温度調節ハンドル）３４が連結されている。
この水栓装置１０では、混合部３２で水と湯とが混合され、またその混合比率が温調ハンドル３４の操作により調節される。
【００４４】
尚、図２において３６は混合部３２に対して水，湯をそれぞれ供給するサプライ管で、これらサプライ管３６を通じて供給された水と湯とが混合部３２で混合され、その混合水が図示を省略する流出管を通じて混合部３２から流出する。
流出した混合水は、可撓性のホース３８を通じて上記吐水管１４の吐水口２２へと送られる。
【００４５】
吐水管１４の基端部４０には、図３及び図４〜図６に示しているように円筒状をなす内嵌合部４２が設けられており、また図２に示すように水栓本体１６の上端部は円筒状をなす外嵌合部４４とされていて、それら内嵌合部４２と外嵌合部４４とが回転可能に嵌合されている。
ここで内嵌合部４２には上，下に環状溝４６，４８が形成されていて、そこに図２及び図４〜図６に示すスリップリング５０，５２が装着されている。
尚、吐水管１４における基端部４０には水栓本体１６の上端面に当接するフランジ部５４が備えられている。
【００４６】
図３に示しているように、内嵌合部４２の上壁部５６に、周方向即ち吐水管１４の回転方向に所定間隔を隔てて、一対のストッパ軸５８が下向きに突出する状態で設けられている。
ここで一対のストッパ軸５８は、吐水管１４の基端部４０とともに回転する回転ストッパとしてのものである。
これらストッパ軸５８のそれぞれには、図３の部分拡大図に示しているように上端部に雄ねじ６０が設けられており、この雄ねじ６０において、上壁部５６の雌ねじ孔６２にこれらストッパ軸５８がねじ込み固定されている。
これらストッパ軸５８の下端面には、工具を係合させて回転操作するための係合溝６４が設けられている。
【００４７】
図３の部分拡大図に明らかに示しているように、内嵌合部４２の上下中間位置には、その内周面に沿って円環状をなす係合凹部６６が設けられている。
この係合凹部６６は、後述の弾性片８８の爪部９２を係入させて、かかる爪部９２と軸方向に係合する部分である。
【００４８】
一方、吐水管１４の支持部をなす水栓本体１６には、上記ストッパ軸５８の下側に台座部６８が設けられており、この台座部６８の上面に、吐水管１４と水栓本体１６とを連結する、それら吐水管１４及び水栓本体１６とは別体なす連結部材７０が取付固定されている。
この連結部材７０は、その底部に板状をなす固定部７２を有している。
【００４９】
固定部７２には、ビス７４を挿通する貫通の挿通孔７６が設けられており、連結部材７０は、ビス７４をこの挿通孔７６を挿通して台座部６８の雌ねじ孔７８に下向きにねじ込むことで台座部６８上に固定される。
尚、図４に明らかに示しているように台座部６８には、略中心部に上記ホース３８を挿通する、上下に貫通のガイド孔８０が設けてある。
連結部材７０の固定部７２にはまた、後述のストッパボルト９４を図中下方から上向きに挿通するための、貫通の挿通孔８２が設けられている。
【００５０】
更にこの連結部材７０は、板状の固定部７２の略中央部から上向きに立ち上がるホースガイド８４，固定部７２の周縁部において上向きに立ち上がるストッパ片（主ストッパ）８６、及びストッパ片８６の両側において同じく固定部７２の周縁部から立ち上がる一対の弾性片８８を固定部７２と一体に有している。
ここでホースガイド８４は、上記ホース３８を位置決めしガイドする働きをなす。
【００５１】
またストッパ片８６は、吐水管１４を回転規制するもので、板状の固定部７２の周縁に沿って円弧状をなしており、周方向の両端面を固定のストッパ面９０となして、これを吐水管１４側の上記ストッパ軸５８に当接させ、吐水管１４を回転規制する。
上記一対の弾性片８８は径方向内方に弾性変形可能であって、その外面（径方向外面）に爪部９２が一体に形成されている。
ここで爪部９２は、弾性片８８の周方向全幅に亘って形成されている。
【００５２】
上記水栓本体１６における台座部６８は、水栓本体１６側の第２の固定ストッパとなるストッパボルト（固定ストッパ）９４、及び上記弾性片８８を備えた連結部材７０の取付部（即ちストッパ取付部兼弾性片取付部）となるもので、図４に示しているように一対のストッパボルト９４を、図中下方から上向きに挿通するための貫通の一対の雌ねじ孔（挿通孔）９６が、この台座部６８に設けられている。
そしてこの雌ねじ孔９６にストッパボルト９４が図中下方から上向きにねじ込まれ、それらストッパボルト９４が台座部６８に保持されている。
尚この実施形態では、これらストッパボルト９４は吐水管１４の回転範囲の調節用として設けられている。
【００５３】
これらストッパボルト９４は雌ねじ孔９６よりも長く、その上部が台座部６８より所定量上向きに突出する状態で、雌ねじ孔９６にねじ込まれている。
ここで一対のストッパボルト９４は、図７〜図９に示しているように上記吐水管１４側のストッパ軸５８が、連結部材７０のストッパ片８６におけるストッパ面９０に当接するまでの回転範囲の回転軌跡の途中位置に配置してある。
【００５４】
これら一対のストッパボルト９４は、雌ねじ孔９６へのねじ込み量を多く又は少なくすることによって、台座部６８に対し上下に位置移動可能であり、そして上への位置移動によって台座部６８からの突出量を多くする。即ち突出高さを高くする。
また下への位置移動によって、台座部６８からの突出量を少なくする。即ち突出高さを低くする。
【００５５】
而して上への移動位置が、台座部６８からの突出部を吐水管１４側のストッパ軸５８に当接させてストッパ作用を行い、吐水管１４の回転範囲を規制するストッパ作用状態であり、また下への移動位置が、吐水管１４側のストッパ軸５８に対し当接させず、吐水管１４を回転規制しない非作用状態であり、かかる一対のストッパボルト９４は、雌ねじ孔９６へのねじ込み量を多く又は少なくすることによって、ストッパ作用状態と非作用状態とに状態切換可能となしてある。
【００５６】
図４において、９８はストッパボルト９４の頭部１００と、台座部６８との間に介装されたスペーサで、このスペーサ９８を頭部１００と台座部６８との間に介装した状態が、ストッパボルト９４が下への移動位置にある状態である。
【００５７】
即ちスペーサ９８は、ストッパボルト９４を非作用状態としての下への移動位置に位置決めする働きをなしている。
尚スペーサ９８は、ストッパボルト９４を雌ねじ孔９６から抜き取ることなく、ストッパボルト９４に対し軸直角方向に脱着可能である。
但しかかるスペーサ９８を円筒形状となしておいて、ストッパボルト９４を雌ねじ孔９６から抜き取ることによって、脱着するようになしておくことも可能である。
【００５８】
図５はスペーサ９８を取り外して、ストッパボルト９４を一杯まで（頭部１００が台座部６８に当る位置まで）図中上向きにねじ込んだ状態、即ちストッパボルト９４を上への移動位置に位置させた状態を表している。
この状態が、吐水管１４側のストッパ軸５８に対しストッパボルト９４が当接し、ストッパ作用をなすストッパ作用状態である。
また図６は、一方の（図中右側の）ストッパボルト９４のみを上の移動位置に位置させ、今一方の（図中左側の）ストッパボルト９４を下への移動位置に位置させた状態を表している。
この場合一方のストッパボルト９４だけがストッパ作用を行い、今一方のストッパボルト９４はストッパ作用を行わない状態である。
【００５９】
本実施形態において、吐水管１４と水栓本体１６との連結は次のようにして行う。
即ち、一対のストッパボルト９４を図中下向きに取り外しておき、又はストッパボルト９４の上部が台座部６８から突き出さない位置まで下げておき、その状態で吐水管１４の内嵌合部４２を、水栓本体１６の外嵌合部４４に図中下向きに挿し込み、それらを嵌め合せる。
このとき、内嵌合部４２の下向きの嵌込みによって、図３及び図４〜図６に示す連結部材７０の弾性片８８が径方向内向きに弾性変形し、内嵌合部４２の下部が弾性片８８の爪部９２を図中下向きに通過するのを許容する。
そして下部が爪部９２を通過したところで弾性片８８が元の形状に復帰して、その外面の爪部９２が内嵌合部４２の円環状の係合部６６に弾性的に係合した状態となる。
【００６０】
この状態で再び吐水管１４に対し上向きの引抜力が働くと、吐水管１４が水栓本体１６から抜け出てしまうが、この実施形態ではこれを防止するために、内嵌合部４２を外嵌合部４４に下向きに嵌め込み互いに嵌合させた状態とした後において、一対のストッパボルト９４を、台座部６８の雌ねじ孔９６に図中下方から上向きにねじ込み又はねじ込み量を多くして、その上部を弾性片８８の径方向内側に位置させる。
【００６１】
このとき、一対のストッパボルト９４の台座部６８から上方に突き出した上部は、一対の弾性片８８のそれぞれを径方向内方から外方に向けて支持し、一対の弾性片８８が径方向内方に弾性変形によって倒れ変形するのを阻止する。
即ちこの実施形態では、一対のストッパボルト９４が、弾性片８８が径方向内方に倒れ変形するのを阻止するサポート部材を兼ねている。
【００６２】
従ってストッパボルト９４を雌ねじ孔９６にねじ込み、その上部を台座部６８から突出させた状態の下では、弾性片８８は径方向内向きに弾性変形することができず、従って吐水管１４に対し上向きの引抜力が働いても、弾性片８８の爪部９２と吐水管１４における内嵌合部４２の係合凹部６６との係合は外れず、従って吐水管１４は水栓本体１６から抜け防止される。
【００６３】
即ちこの実施形態では、吐水管１４と水栓本体１６とを組み付けるに際して、吐水管１４の内嵌合部４２を水栓本体１６の外嵌合部４４に対し簡単に下向きに挿し込み、それらを互いに嵌合することができる一方で、ストッパボルト９４のねじ込みにより以後は確実に吐水管１４が水栓本体１６から抜け防止される。
【００６４】
図７〜図９は、本実施形態の水栓装置１０の吐水管１４に対する回転規制の作用を表わしている。
先ず図７は、図４におけるスペーサ９８を取り外して、ストッパボルト９４を一杯まで上向きに突き出させた場合（図５参照）のストッパ作用を示したもので、このときには吐水管１４を図７において時計方向に回転させると、吐水管１４側の一対のストッパ軸５８のうち、図中下側の一方のストッパ軸５８が、対応する図中下側の一方のストッパボルト９４に当接することで、吐水管１４がそこで回転規制される。
このときの吐水管１４の回転可能な範囲は、ここでは１５°の角度範囲である。
【００６５】
一方、吐水管１４を上記とは逆に反時計方向に回転させると、今度は吐水管１４側の図中上側の他方のストッパ軸５８が、対応する図中上側の他方のストッパボルト９４に当接することによって、そこで吐水管１４が回転規制される。このときの吐水管１４の回転可能な範囲もここでは１５°である。
【００６６】
即ち図５及び図７に示す状態では、吐水管１４側のストッパ軸５８は、回転に伴って連結部材７０に設けられた第１の固定ストッパとしてのストッパ片８６に当接することはなく、一対の第２の固定ストッパとしてのストッパボルト９４に対してだけ当接し、それらによって回転規制される。
【００６７】
図８は一対のストッパボルト９４を図４に示す状態、即ちそれらの何れをもスペーサ９８によって下への移動位置に位置決めし、一対のストッパボルト９４の何れをもストッパとして働かせない場合の、吐水管１４の回転規制の作用を表わしたものである。
この状態では、吐水管１４を図中時計方向に回転させると、吐水管１４側の一対のストッパ軸５８のうち、図中下側のストッパ軸５８は、対応する図中下側のストッパボルト９４を通過して更に回転し、そして連結部材７０のストッパ片８６の図中下側のストッパ面９０に当接することで、そこで吐水管１４の回転が規制される。
このときの吐水管１４の回転範囲（回転角度θ１）は、ここでは７５°である。
尚、θ１は吐水管１４が全回転範囲の丁度中央位置から、最も時計方向に回転したときの回転角度を表わしている。
【００６８】
一方、吐水管１４を図８（Ｂ）の矢印で示しているように反時計方向に回転させると、今度は図中上側の吐水管１４側のストッパ軸５８が、同じく対応する図中上側のストッパボルト９４を通過して、ストッパ片８６の図中上側のストッパ面９０に当接し、ここにおいて吐水管１４の図８中反時計方向の回転が規制される。
このときの吐水管１４の中央位置からの回転角度もθ１となる（θ１はここでは７５°である）。
【００６９】
図９は、一対のストッパボルト９４が図６に示す状態であるときの、吐水管１４の回転規制の作用を表わしたものである。
この状態では、図９において吐水管１４を図中時計方向に回転させると、図中下側の吐水管１４のストッパ軸５８が、対応する図中下側のストッパボルト９４を通過して、ストッパ片８６のストッパ面９０に当接し、そこで吐水管１４の回転が規制される。
このときの回転角度はθ１の７５°となる。
【００７０】
逆に吐水管１４を図９（Ｂ）において反時計方向に回転させると、このときには図中上側のストッパ軸５８が、上への移動位置即ちストッパ作用状態にあるストッパボルト９４に当接することで、そこで吐水管１４の回転が規制される。
このときの吐水管１４の中央位置（中立位置）からの回転角度θ２は、ここでは１５°である。
即ち図６に示す状態では、吐水管１４は、図９中時計方向にはθ１の７５°の回転が可能であり、また逆方向の反時計方向の回転ではθ２の１５°だけ回転が可能である。
【００７１】
但しこの実施形態では、一対のストッパボルト９４の何れをも、図５及び図７に示すようにしてストッパ作用を行わせることはなく、何れか一方のストッパボルト９４だけをストッパとして作用させるように使用する。
【００７２】
尚図示は省略したが、図６において図中左側のストッパボルト９４を、スペーサ９８を外して一杯まで図中上向きにねじ込み、また右側のストッパボルト９４と台座部６８との間にスペーサ９８を装着状態として、右側のストッパボルト９４を下への移動位置に位置させたときには、吐水管１４は、図９において時計方向への回転がθ２の１５°だけ許容され、逆方向の反時計方向にはθ１の７５°まで回転が可能となる。
【００７３】
図１０は本実施形態の水栓装置の使用例を示している。
図１０（Ａ）は、水栓装置１０をシンク１８の左右方向の中央位置に設置した場合の例で、このときには一対のストッパボルト９４を図４に示す状態としておく。このときには吐水管１４は、シンク１８の左右方向の中央位置から、右方向と左方向とのそれぞれに７５°まで左右対称に回転可能となる。
【００７４】
図１０（Ｂ）は、水栓装置１０をシンク１８の左右方向の右側に偏った位置に設置した場合の例で、このときには一対のストッパボルト９４を図６に示した状態とする。このときには図９で説明したように吐水管１４は左方向（時計方向）に７５°、右方向（反時計方向）に１５°だけ回転可能である。
【００７５】
この図１０（Ｂ）に示す状態において、吐水管１４が右方向に７５°まで回転可能であると、吐水管１４の先端の吐水口２２がシンク１８から側方に外れてしまい、その状態で吐水が行われると、その吐水がシンク１８から外に吐出されてしまう不都合を生じる。
しかるに本実施形態によればこうした不都合の発生を防止することができる。
【００７６】
他方図１０（Ｃ）は、水栓装置１０がシンク１８の中央から左側に偏った位置に設置された場合の例で、このときには一対のストッパボルト９４を図６に示した状態と異なって、同図中左側のストッパボルト９４を上向きに一杯までねじ込み、右側のストッパボルト９４をスペーサ９８によって下の移動位置に位置決めし、図中左側のストッパボルト９４だけを働かせて吐水管１４の回転範囲を行う。
このときには、吐水管１４は左方向には１５°までしか回転できず、また逆方向の右方向には７５°まで回転することが可能である。
【００７７】
この図１０（Ｃ）に示す状態の場合にも、吐水管１０が左方向に７５°まで一杯に回転できると、その最大回転状態で吐水口２２がシンク１８から側方（左側方）に外れてしまい、吐水がシンク１８外に吐出されてしまう不都合を生じる。
しかるに本実施形態によれば、こうした不都合の発生を防止することができる。
【００７８】
以上のような本実施形態によれば、吐水管１４の回転規制のための構成部材を外部に露出させず、従ってその回転規制のための構成部材が外部に露出することによる水栓装置１０の美観の悪化を防止して、水栓装置１０を良好な外観状態で設置することが可能となる。
また回転規制のための構成部材が外部に露出しないので、その構成部材に汚れが付着して外観を悪化させる問題も併せて解決することができる。
【００７９】
また本実施形態によれば、単にストッパボルト９４をストッパ作用状態と非作用状態とに状態切換するだけで、簡単に吐水管１４の回転範囲を調節することができる。
しかもストッパボルト９４の状態切換えの操作は、吐水管１４と水栓本体１６とを分解することなく、水栓本体１６における下端の開口及びその上方空間３１を通じて行うことができ、水栓装置１０の設置現場の状況に応じて且つ設置現場において簡単にその作業を行うことができる。
【００８０】
加えてこの実施形態では、スペーサ９８を脱着するだけで簡単にストッパボルト９４を、上への移動位置と下への移動位置に位置決めでき、ストッパ作用状態と非作用状態とに状態切換えすることができる。
【００８１】
更に本実施形態によれば、吐水管１４の基端部４０の内嵌合部４２を、水栓本体１６の外嵌合部４４に上下に嵌合して、水栓本体１６に設けた弾性片８８と内嵌合部４２とに設けた爪部９２と係合凹部６６とを係合させ、更にサポート部材としてのストッパボルト９４を上向きに大きく突き出して弾性片８８を内側から支えるようにするだけで、簡単に吐水管１４と水栓本体１６とを抜止状態に連結することができる。
【００８２】
また、吐水管１４の抜止めのための構成部材を、吐水管１４及び水栓本体１６の内部に隠蔽状態に設けておくことができるため、抜止めのための構成部材が外部に露出することによる外観の悪化を生じず、水栓装置１０を良好な外観状態で設置することが可能となる。
【００８３】
更に本実施形態では、メンテナンス等のために吐水管１４と水栓本体１６とを分離する必要が生じた場合には、ストッパボルト９４を雌ねじ孔９６から下向きに抜き出すことで、簡単に吐水管１４を水栓本体１６から引き抜き、それらを分離することができる。
また吐水管１４の回転規制のためのストッパボルト９４が、吐水管１４の抜止めのためのサポート部材を兼ねて構成してあるため、吐水管１４の抜止め及び回転規制のための構成部材の部材点数を少なくし得、且つそれらの構造を簡素化することができる。
【００８４】
以上本発明の実施形態を詳述したがこれはあくまで一例示である。
例えば上記実施形態では、ストッパボルト９４の他に第１の固定ストッパとしてのストッパ片８６（主ストッパ）を設け、ストッパボルト９４を吐水管１４の回転範囲の調節用の第２の固定ストッパとして用いているが、本発明ではストッパ片８６を設けずに一対のストッパボルト９４を水栓本体側の第１の主の固定ストッパとして用い、それら一対のストッパボルト９４のそれぞれによって、吐水管１４の回転範囲を規制するようになすことも可能である。
【００８５】
この場合において、ストッパボルト９４の取付位置を周方向の異なった位置、即ち吐水管１４の回転方向の異なった位置に位置変更することで、吐水管１４の回転範囲を調節するようになすことも可能である。
その際、雌ねじ孔（挿通孔）９６を回転方向の複数個所に用意しておき、何れかを選択してストッパボルト９４をそこにねじ込むことで、ストッパボルト９４の取付位置を変更するようになすことができる。
【００８６】
また本発明では、図３のストッパ片９６に代えて、上記一対のストッパボルト９４の他に、更に別のストッパボルトを同様の構造で設け、その別途のストッパボルトを、水栓本体１６側の即ち支持部側の第１の固定ストッパとして用いるようになすといったことも可能である。
【００８７】
更に本発明では回転範囲の調節用の第２の固定ストッパを、ストッパボルト９４にて構成しているが、かかる第２の固定ストッパをストッパボルト９４以外のストッパ軸或いは軸以外の形態で構成することも可能である等、本発明はその趣旨を逸脱しない範囲において種々変更を加えた形態で構成可能である。
【図面の簡単な説明】
【００８８】
【図１】本発明の一実施形態である水栓装置をカウンターに取り付けた外観状態で示した図である。
【図２】図１に示した水栓装置の要部縦断面図である。
【図３】同実施形態における吐水管と水栓本体との接続部分を分解して示した図である。
【図４】同実施形態の吐水管と水栓本体との接続部分を示す縦断面図である。
【図５】図４とはストッパボルトの位置を異ならせた状態の図である。
【図６】図４，図５とはストッパボルトの位置を異ならせた状態の図である。
【図７】図５のVII−VII視横断面図である。
【図８】図４に示すストッパボルトの位置における吐水管に対する回転規制の作用を示した説明図である。
【図９】図６に示すストッパボルトの移動位置における吐水管に対する回転規制の作用を示した説明図である。
【図１０】本実施形態の水栓装置の使用例を示す図である。
【図１１】従来の水栓装置の一例を示す図である。
【図１２】図１１の水栓装置における吐水管の接続部分を分解して示した図である。
【符号の説明】
【００８９】
１０  水栓装置
１２  カウンター
１４  吐水管
１６  水栓本体
２２  吐水口
２８  開口
３１  上方空間
４０  基端部
４２  内嵌合部
４４  外嵌合部
５８  ストッパ軸（回転ストッパ）
６６  係合凹部
６８  台座部
８６  ストッパ片（主ストッパ）
８８  弾性片
９２  爪部
９４  ストッパボルト（固定ストッパ）
９６  雌ねじ孔（挿通孔）
９８  スペーサ
【図１】
2008248539.tif 000003
【図２】
2008248539.tif 000004
【図３】
2008248539.tif 000005
【図４】
2008248539.tif 000006
【図５】
2008248539.tif 000007
【図６】
2008248539.tif 000008
【図７】
2008248539.tif 000009
【図８】
2008248539.tif 000010
【図９】
2008248539.tif 000011
【図１０】
2008248539.tif 000012
【図１１】
2008248539.tif 000013
【図１２】
2008248539.tif 000014